(57)【要約】  分配される液体に関する追跡および伝達情報を伝達するための方法および装置であって、前記装置は柔軟で折りたたみ可能な容器に取り付けられ測定された分配装置と、分配操作に関連する物理的特性を測定するためのセンサー、およびセンサーによって決定された情報を遠隔装置に通信するように構成された通信装置を含む。【選択図】図１ｂ
2021533047.tif 000002
【特許請求の範囲】
【請求項１】
柔軟で折りたたみ可能な液体容器と、
前記柔軟で折りたたみ可能な液体容器に接続された液体ディスペンサーポンプであって、前記柔軟で折りたたみ可能な液体容器から液体ディスペンサーポンプへ液体を引き入れ、液体ディスペンサーポンプの作動時に出口ポートを介して液体を分配するように構成される液体ディスペンサーポンプと、
利用者による液体ディスペンサーポンプの作動時における物理的特性を計測するように構成される、装置内に配置されたセンサーと、
センサーと通信して前記物理的特性を遠隔端末に伝達するように構成されるワイヤレス送信モジュールと
を含む、装置。
【請求項２】
前記物理的特性が液体ディスペンサーポンプ内における液体圧力、時刻、出口ポートを流れる液体の量から成る一群から選択される、請求項１に記載の装置。
【請求項３】
前記遠隔端末がコンピュータサーバーである、請求項１に記載の装置。
【請求項４】
前記遠隔端末が携帯端末である、請求項１に記載の装置。
【請求項５】
前記柔軟で折りたたみ可能な液体容器がコンピュータの読取可能な識別コードをその表面上に印刷またはそれに付される、請求項１に記載の装置。
【請求項６】
利用者の携帯端末が前記コンピュータの読取可能な識別コードを読み込むように用いられると、前記コンピュータの読取可能な識別コードが前記液体に関する製品情報を利用者の携帯端末上に表示させるように構成される、請求項５に記載の装置。
【発明の詳細な説明】
【技術分野】
【０００１】
本発明は、分配される液体の正確な分配、追跡および再注文に関する方法および装置に関する。
【発明の概要】
【発明が解決しようとする課題】
【０００２】
本発明によって解決される技術的問題は、液体の利用者への情報の配信、液体の利用者が指定された時間に正確な測定値、液体の分配作業が行われるＧＰＳ位置、時間と用量の正確な追跡を利用することを保証し、使用と投与量のリマインダーにより過剰摂取の防止し、コンプライアンスの追跡、および現在利用可能な溶液がないために継続的なコンプライアンスを確保するための再注文を促し、使用状況の監視、管理そして液体の再注文を希望する利用者、医師、ヘルスケアプロバイダー、小売業者、製造業者などへの追跡情報の伝達することを促す。スマート１タッチは電子的データ収集、スマートデバイスおよび可聴データデバイスに統合される。
【課題を解決するための手段】
【０００３】
本発明は、機械的に測定される液体ディスペンサーまたはブルートゥース（登録商標）やＲＦＩＤなどのセンサー技術を、液体ディスペンシング操作の時間と量を検出し、そして、その情報を利用者のスマートフォンアプリケーションまたはソフトウェアに伝達し、オプションで、できれば利用者の選択に従って、コンプライアンス、監視、および再注文機能を必要とする利用者の医師、薬局、小売業者、製造業者、またはその他の利害関係者にその情報を伝達するハードウェアおよびソフトウェア機能とを組み合わせることによって、上述の問題を解決する。
【０００４】
本発明の様々な実施形態によれば、例えば、米国特許第８，１２３，０７３号、第７，４１９，３２２号、第８，３８７，８３３号、第１０，２５９，６４５号および／または米国特許出願第１５／９４１，８９３号に開示されているタイプの機械的またはセンサーベースで測定される液体ディスペンサーなど、本発明の開示により、それら全てが本明細書に包含される。
【０００５】
本発明のさらなる実施形態によれば、センサーまたは機械的に測定される液体ディスペンサーは、ディスペンサーのアクチュエーターの押し下げによって引き起こされる物理的変化を検出するように構成されるチップまたは他のセンサーを含んでもよい。例えば、センサーは、圧力センサー、または流量センサー、タイマー、またはそれらのいくつかの組み合わせであってもよい。センサーは、ディスペンサーのアクチュエーターの作動時に分配される液体の量に関する情報を提供する任意の単一センサーまたはセンサーの組み合わせであってもよい。したがって、センサーは、アクチュエーター自体の内側または下部、液体チャネル／経路のどこか、またはディスペンサーケースエンクロージャー内に配置されてもよい。
【０００６】
別の実施形態によれば、機械的に測定されるディスペンサーは、用量が利用者によって調節自在の用量機構を含んでもよい。この実施形態のさらなる特徴によれば、調節可能な用量機能の調節状態を決定するために、１つまたは複数のセンサーが提供されてもよい。一実施形態によれば、調節可能な用量機構の調節状態を決定するセンサーは、用量アクチュエーターが作動されるときに用量の量を検出および／または測定するセンサーとは別個であり、任意選択でそれに加えてもよい。
【０００７】
さらなる実施形態によれば、測定される投与装置は再利用可能であってもよく、それによれば、第１の液体ポーチが空であるときに第１の液体ポーチから取り外され、新鮮な液体の供給で第２の液体ポーチに取り付けられる。
【０００８】
さらなる実施形態によれば、液体ポーチは、スマートラベルおよび／またはＲＦＩＤタグを備えていてもよい。これらの実施形態の態様によれば、利用者は、スマートフォンアプリケーションでスマートラベルまたはＲＦＩＤタグをスキャンすることができ、これにより、液体に関する情報が利用者に表示される。これらの情報は、機械的に測定されるディスペンサーまたはポーチディスペンサーを使用して液体を投与する方法、液体の投与し、コンプライアンスの追跡し、再注文する場所、自動再注文、または液体を入手できる場所の特定するように利用者に通知するアプリケーションの使用方法、利用者の好みや選択に応じて、アプリを使用して投与量と時間の情報を追跡し、そのような情報を関係者に送信する方法が含まれていてもよい。
【０００９】
本発明は、利用者が適切な投与量が投与されていることを確認するために、液体の使用者が投与量を投与することを自動的に思い出させるための信頼できる検証可能な方法提供し、医師、薬局、小売業者、製造業者、またはコンプライアンスを必要とするその他の人々のため、監視および再注文機能が使用状況を確実に追跡または文書化することが可能である。
【００１０】
本発明の好ましい実施形態のその後の説明は、添付の図面を参照する。
【図面の簡単な説明】
【００１１】
【図１ａ】図１ａは、本発明の一実施形態による、調整可能な液体投与ディスペンサーの分解斜視図である。
【００１２】
【図１ｂ】図１ｂは、図１ａに示される実施形態の代替表現である。
【００１３】
【図１ｃ】図１ｃは、代替スロット設計を備えた調整可能な液体投与ディスペンサー投与カラーの斜視図である。
【００１４】
【図１ｄ】図１ｄは、投与ダイヤル／ボタンの底面斜視図である。
【００１５】
【図２】図２は、図１ａに示される投与／制御カラーの底面斜視図である。
【００１６】
【図３】図３は、図１ａに示される投与／制御カラーの断面図である。
【００１７】
【図４】図４は、本発明のさらなる代替の実施形態による投与／制御カラーの斜視図である。
【００１８】
【図５ａ】図５ａは、閉／ロック位置にある本発明の実施形態による、組み立てられた調整可能な液体投与ディスペンサーの斜視図である。
【００１９】
【図５ｂ】図５ｂは、図５ａに示される実施形態の代替表現である。
【００２０】
【図６ａ】図６ａは、別の実施形態による調整可能な液体投与ディスペンサーの斜視図である。
【００２１】
【図６ｂ】６ｂは、図６ａの実施形態による、調整可能な液体投与ディスペンサーの側面図である。
【００２２】
【図６ｃ】図６ｃは、図６ａおよび６ｂの実施形態による、調整可能な液体投与ディスペンサーの側面断面図である。
【００２３】
【図７ａ】図７ａは、柔軟な液体容器に適合する開口部に近接する本発明の実施形態による、調整可能な液体投与ディスペンサーの斜視図である。
【００２４】
【図７ｂ】図７ｂは、図７ａに示される実施形態の代替表現である。
【００２５】
【図８ａ】図８ａは、本発明の一実施形態による、柔軟な液体容器の表面に取り付けられた調整可能な液体投与ディスペンサーの斜視図である。
【００２６】
【図８ｂ】図８ｂは、図８ａに示される実施形態の代替表現である。
【発明を実施するための形態】
【００２７】
本発明は、ポーチから液体を分配するための装置であり、様々な用途および使用のために利用者によって分配される必要のある液体の量に応じて、異なる離散的かつ反復可能／等しい分配量に設定することができる装置である。デバイスは、使用していないときに誤って液体が分配されるのを防ぐために、「オフ」または「クローズ」位置に設定することもできてもよい。デバイスは、液体容器の外面に取り付けられるように構成されることが好ましく、この液体容器は、柔軟なバッグまたはポーチであることが好ましい。様々な実施形態によれば、液体容器の少なくとも１つの表面または液体容器の十分な部分は、液体がそこから引き出されるときに容器が折りたたまれることを可能にするために柔軟である。液体容器全体が可撓性材料でできていない場合、分配装置は、液体が容器から分配されるときに折りたたむことができる柔軟な容器の部分に取り付けられることが好ましい。
【００２８】
デバイスはまた、特に液体を分配するために分配デバイスが作動されるとき、および／またはデバイスが特定の用量に調整されるときに、デバイスの１つまたは複数の物理的特性を記録、保存および／または送信するように構成された１つまたは複数のセンサーを含む。
【００２９】
図１ａ−１ｃは、投与／制御カラー、可撓性投与ドーム、およびそれらと組み合わせた用量設定ダイヤルと用量放出ボタンを含むデバイスの実施形態を示している。可撓性投与ドームと投与／制御カラーは、組み立てられると、ポンプまたは投与チャンバーを形成する。投与／制御カラーは、好ましくは、同心の内側および外側の環状シャフト／柱状部が共通の基部から立ち上がって、それらの間の狭いチャネルを規定する円筒形である。外側環状シャフトの外部は、シャフトの中心から離れて延びるフランジを特徴としてもよい。内部シャフトはまた、用量ダイヤル／ボタンの外面上の対応する突起を受け、相互作用する複数の水平および垂直の投与および回転チャネルまたはスロットを特徴とする。代替の実施形態によれば、投与および回転チャネルは、投与ダイヤル／ボタンのシャフト上にあってもよく、突起は、内側環状シャフトの外面上にあってもよい。水平スロットは回転スロットであり、利用者がダイヤルを回転させながら、ダイヤルの進行を戦術的に感じることができるように、複数のデタント位置を有していてもよい。垂直チャネルは投与スロットであり、異なる投与量に対応する、（水平スロットから垂直スロットの底まで測定される）異なる深さを備える。好ましい実施形態によれば、内側環状シャフトの各垂直スロットは、内側環状シャフト上で離間された、同じ深さの第２の垂直スロットと対になっており、そして、用量ダイヤルボタンの各突起は、第２の垂直シャフトの位置に対応する位置で、用量／ダイヤルボタン上で離間された第２の突起と対になっている。ダイヤル／ボタンを回転させて、ダイヤル／ボタンの外側の突起が垂直スロットと揃うようにすると、ボタンを押して液体を分配することが可能となる。突起が垂直スロットの底に当たると、突起、スロット／チャネル、またはその両方を壊すことなく、ダイヤル／ボタンがそれ以上押されないようにするため、押し下げの制限が分配される量を制限し、垂直スロットの深さがボタンを押すことができる距離を制限する。
【００３０】
一実施形態によれば、「フル」用量のための少なくとも１つの垂直スロットまたは垂直スロットのセットがあり、「ハーフ」または「部分」用量のための少なくとも１つの第２の垂直スロットまたは垂直スロットのセットが存在する。他の実施形態によれば、他の部分用量、例えば、３／４用量、２／３用量、１／３用量および１／４用量のために、第３および第４の垂直スロットまたは垂直スロットのセットがあってもよい。
【００３１】
投与制御カラーは、貫通開口部、投与制御カラーの外面上の液体出口、および前記液体入口と前記液体出口との間の液体放出チャネルを覆うように構成された可撓性フラップとして図３に示されるように、液体の流入に対応するための底面の貫通開口部、液体入口バルブも備える。
【００３２】
図４に示されるさらなる代替の実施形態によれば、投与制御カラーは、別個の投与スロットおよびリターンスロットを有していてもよい。この実施形態によれば、投与スロットは、突起が上向きに移動するのを防ぐ下向きの歯またはプロングを有していてもよく、これにより、それが設定した位置に戻る前に、ダイヤル／ボタンが完全に押される必要がある。突起は投与スロット内を上向きに移動できないため、個別のリターンスロットは、水平スロットによって接続された投与スロットに隣接して提供される。リターンスロットは、リターンスロット内で突起が下向きに移動することを防ぐための上向きの歯またはプロングを備えていることが望ましい。
【００３３】
用量設定ダイヤル／用量放出ボタンは、ベース（投与／制御カラー）の内側と外側の環状シャフトの間に形成されたチャネルにスナップする剛性のある底部を備える比較的剛性が高いプラスチックで製造されることが望ましい。
【００３４】
用量設定ダイヤル／用量放出ボタンおよび投与／制御カラーは、硬質プラスチック材料で作られていることが望ましい。ダイヤル／ボタンの内面に成型または形成されたナブは、内部シャフトに形成されたスロットの内側にある。利用者がダイヤル／ボタンを押すと、ダイヤル／ボタンは可撓性投与ドームを下向きに強制し、液体出口を介してドームの内部容積を排出し、ダイヤル／ボタンを離すと、可撓性投与ドームが元の形状に戻り、ダイヤル／ボタンを上向きに押し上げ、真空作用の下でドームの内部に液体を引き込む。
【００３５】
可撓性投与ドームは、変形後に元の形状に戻る形状記憶エラストマー材料で作られていることが望ましい。
【００３６】
図５ａおよび図５ｂは、可撓性投与ドームが、投与／制御カラーの内部柱状部の内側のベースに密封され、用量設定ダイヤル／用量放出ボタンの下部が、可撓性投与ドームを越えて、内側シャフトと外側シャフトの間のチャネルにスナップされる本発明による調整自在な液体分配装置に組み込まれるこれら３つの部品を示す。ダイヤル／ボタンの上部は、投与／コントロールカラーの上部から突き出ている。より好ましい実施形態によれば、文字盤／ボタンの上部の周囲には、「開」「閉」「フル」「ハーフ」などの刻印が成形または印刷されており、さまざまな機能や分注量に対応する文字盤の回転位置を示す。これらの印のそれぞれが、押し下げなし、完全な押し下げ、半分押し下げ、または部分的な押し下げに対応する量の液体を分配する突起／スロットの組み合わせに対応する。同様に、カラーの外軸の外面は、好ましくは、所望の機能を達成するためにダイヤル／ボタン上の適切な印と一列に並べられなければならないカラー上の位置を示す印刷または成型され、または他の印を有する。本発明のさらなる実施形態によれば、センサーまたは機械的に測定された液体ディスペンサーは、ディスペンサーのアクチュエーターの押し下げによって引き起こされる物理的変化を検出するように構成されたチップまたは他のセンサーを含み得る。好ましい実施形態によれば、図１ｃに見られるように、ダイヤル／ボタンを閉位置に回転すると、ダイヤル／ボタンを少し下方に引くために水平となる前に下部の水平スロットにはわずかに下向きの傾斜があり、ダイヤルボタンの底面が液体供給チャネルに押し付けられ、それを挟んで閉じる。図５ａおよび図５ｂに示されるように、カラーの表示はボタンの「開」表示と一致しており、液体を分配するために、突起が「フル」の垂直スロットと一致するまでダイヤル／ボタンを時計回りに回転させなければならないことを示す。利用者が半分の用量だけ分配したい場合には、突起が対応するより短い／より浅い垂直チャネル／スロットと揃うまで、ダイヤル／ボタンを再び時計回りに回転させなければならない。
【００３７】
図６ａ、６ｂおよび６ｃは、本発明による調整可能な液体分配装置の代替設計を示す。図１ａ−１ｄ、２、４、５ａ、および５ｂに示すデバイスの突起とスロットの相互作用の代わりに、図６ａ、６ｂ、および６ｃの実施形態は、経続用量調整装置のために頂部ダイヤル部品によって回転させることができる中央ねじを含む。ネジを回すと、ネジがボタンを投与制御カラーに近づけたり遠ざけたりするときに、ボタンの最大押し下げが増減する。図１ａ−１ｄ、２、４、５ａおよび５ｂの実施形態と同様に、センサーまたはスマートチップは、回転、それ故に投与量を検知するように配置されてもよい。
【００３８】
図７ａおよび７ｂは、柔軟な液体容器、好ましくはバッグまたはポーチに接続される本発明の調整可能な計量装置を示している。好ましい実施形態によれば、液体容器は、液体がそこから分配されるときに折りたたみ可能であり、好ましくは空気を含まない。一実施形態によれば、調整可能な計量装置の底部は、液体容器への安全で気密な接続を行う接着剤を備える。さらなる実施形態によれば、接着剤は、使用前に薄い引き抜きフィルムで覆われて、デバイスを液体容器に接続する時まで接着剤を保護および保存してもよい。様々な代替の実施形態によれば、調整可能な計量装置の底部は、液体容器に熱溶接されるか、液体容器に音波溶接されるか、または他の任意の既知の方法で液体容器に密封されてもよい。さらなる実施形態によれば、液体容器は、デバイスの形状とサイズに対応しており、強力で安全な接続を容易にし、液体容器に取り付けた後にデバイスに力や負荷がかかった場合に容器が壊れたり裂けたりするのを防ぐ、補強された領域および／または処理された表面を備えていてもよい。
【００３９】
図８ａおよび８ｂは、柔軟な液体容器に接続された本発明の調整可能な計量装置を示す。デバイスは、ダイヤル／ボタンを押すことを除いて重力や他の力にとらわれないため、空間内のデバイスの向きに関係なく、液体を分配するように操作できる。
【００４０】
アプリケーションは、分配される液体に関する教材を表す。
【００４１】
コンプライアンスはボタンの実際の圧力と押された回数によって測定される。日時はキャプチャーされる。ポーチの枯渇が近付くと再注文する機能を有する。
【００４２】
スマートフォンアプリケーションは、機械的技術またはセンサー技術のいずれかを使用して、投与量のサイズと時間を自動的に追跡する。
【００４３】
データは、コンプライアンス、監視、および再注文の機能が必要であり、利用者の許可に応じて、医師、薬局、小売業者、製造業者などと共有される。センサーとアプリケーションの技術により、ＧＰＳテクノロジーまたはオンライン注文アプリケーションを使用しての再注文オプションを識別可能である。
【００４４】
一実施形態によれば、液体は任意の粘度であってもよい。
【００４５】
別の実施形態によれば、ＲＦＩＤ、センサーステッカー、ブルートゥース（登録商標）および他のセンサー技術が使用される。
【００４６】
利用者はアプリケーションをダウンロードする。アプリケーションはセンサー技術からセンサー信号を取得し、教育とコンプライアンスへの取り組みを促す。
【００４７】
アプリケーションは自動的に投与量、投与時間をキャプチャーし、次の投与を促し、枯渇に近づくと警告を発し、再注文を要求する。
【００４８】
これは、容易に利用可能なセンサー技術を用いることで、初日から実行可能である。
【００４９】
アプリケーションは投与期限が迫ると警告する。
【００５０】
「ボタン」の圧力センサーは、液体が分配されたという信号とその量を送信する。１ＴＯＵＣＨディスペンシングテクノロジーは投与量を示す。
【００５１】
患者は、アプリケーションを介して許可することで、医師、薬局、小売業者、製造業者、またはコンプライアンス、監視、記録機能を必要とするその他の人と共有が可能である。
【００５２】
センサー技術は、使いやすさを保証するために自動追跡を提供する。ＧＰＳは、再注文や小売りの機会のためのリアルタイム機能を可能する。
【図１ａ】
2021533047.tif 000003
【図１ｂ】
2021533047.tif 000004
【図１ｃ】
2021533047.tif 000005
【図１ｄ】
2021533047.tif 000006
【図２】
2021533047.tif 000007
【図３】
2021533047.tif 000008
【図４】
2021533047.tif 000009
【図５ａ】
2021533047.tif 000010
【図５ｂ】
2021533047.tif 000011
【図６ａ】
2021533047.tif 000012
【図６ｂ】
2021533047.tif 000013
【図６ｃ】
2021533047.tif 000014
【図７ａ】
2021533047.tif 000015
【図７ｂ】
2021533047.tif 000016
【図８ａ】
2021533047.tif 000017
【図８ｂ】
2021533047.tif 000018
【手続補正書】
【提出日】令和3年5月11日(2021.5.11)
【手続補正１】
【補正対象書類名】特許請求の範囲
【補正対象項目名】全文
【補正方法】変更
【補正の内容】
【特許請求の範囲】
【請求項１】
柔軟で折りたたみ可能な液体容器と、
前記柔軟で折りたたみ可能な液体容器に接続された液体ディスペンサーポンプであって、前記柔軟で折りたたみ可能な液体容器から液体ディスペンサーポンプへ液体を引き入れ、液体ディスペンサーポンプの作動時に出口ポートを介して液体を分配するように構成される液体ディスペンサーポンプと、
利用者による液体ディスペンサーポンプの作動時における物理的特性を計測するように構成される、装置内に配置されたセンサーと、
センサーと通信して前記物理的特性を遠隔装置に伝達するように構成されるワイヤレス送信モジュールと
を含む、装置。
【請求項２】
前記物理的特性が液体ディスペンサーポンプ内における液体圧力、時刻、出口ポートを流れる液体の量から成る一群から選択される、請求項１に記載の装置。
【請求項３】
前記遠隔装置がコンピュータサーバーである、請求項１に記載の装置。
【請求項４】
前記遠隔装置が携帯端末である、請求項１に記載の装置。
【請求項５】
前記柔軟で折りたたみ可能な液体容器がコンピュータの読取可能な識別コードをその表面上に印刷またはそれに付される、請求項１に記載の装置。
【請求項６】
利用者の携帯端末が前記コンピュータの読取可能な識別コードを読み込むように用いられると、前記コンピュータの読取可能な識別コードが前記液体に関する製品情報を利用者の携帯端末上に表示させるように構成される、請求項５に記載の装置。
【請求項７】
柔軟で折りたたみ可能な液体容器と、
前記柔軟で折りたたみ可能な液体容器に接続された液体ディスペンサーポンプであって、前記柔軟で折りたたみ可能な液体容器から液体ディスペンサーポンプへ液体を引き入れ、液体ディスペンサーポンプの作動時に液体供給チャネルを介して出口ポートに液体を分配するように構成され、利用者が押したときに、投与量の液体を分配するように流体ディスペンサーポンプを作動させる用量放出ボタンを含むアクチュエーターを有する液体ディスペンサーポンプと、
利用者が液体ディスペンサーポンプを作動させたときに、分配される液体の量に関する情報を含む物理的変化を計測するように構成される、装置内に配置されたセンサーと、
前記物理的変化を遠隔装置に伝達するように構成される、センサーと通信するワイヤレス送信モジュールと
を含む、分配される液体を分配および監視するための装置。
【請求項８】
前記センサーが前記用量放出ボタンの内側または下部に配置される、請求項７に記載の装置。
【請求項９】
前記センサーが前記液体供給チャネル内に配置される、請求項７に記載の装置。
【請求項１０】
前記用量放出ボタンが利用者による作動時に分配される液体の投与量を調節するように利用者により調節自在である、請求項７に記載の装置。
【請求項１１】
前記アクチュエーターの調節状態を決定するためのセンサーを含む、請求項１０に記載の装置。
【請求項１２】
前記柔軟で折りたたみ可能な液体容器が液体に関する製品情報を遠隔装置に表示されるように構成されるコンピュータの読取可能な識別コードを含む、請求項７に記載の装置。
【請求項１３】
柔軟で折りたたみ可能な液体容器と、前記柔軟で折りたたみ可能な液体容器に接続された液体ディスペンサーポンプであって、前記柔軟で折りたたみ可能な液体容器から液体ディスペンサーポンプへ液体を引き入れ、液体ディスペンサーポンプの作動時に液体供給チャネルを介して出口ポートに液体を分配するように構成され、利用者が押したときに、投与量の液体を分配するように流体ディスペンサーポンプを作動させる用量放出ボタンを含むアクチュエーターを有する液体ディスペンサーポンプと、利用者が液体ディスペンサーポンプを作動させたときに、分配される液体の量に関する情報を含む物理的変化を計測するように構成される、装置内に配置されたセンサーと、前記物理的変化を遠隔装置に伝達するように構成される、センサーと通信するワイヤレス送信モジュールとを提供し、
利用者が前記用量放出ボタンを押して、前記液体ディスペンサーポンプを作動させて、前記出口ポートを通して前記柔軟で折りたたみ可能な液体容器から液体を分配し、
利用者が前記用量放出ボタンを押したときに、前記出口ポートから分配される液体の量を前記センサーによって感知し、
前記センサーから前記遠隔装置に分配される液体の量に関する情報をワイヤレスで伝達する、
装置から分配される液体を分配および監視する方法。
【請求項１４】
前記センサーが前記用量放出ボタンの内側または下部、あるいは前記液体供給チャネル内に配置される、請求項１３に記載の装置から分配される液体を分配および監視する方法。
【請求項１５】
前記アクチュエーターが、利用者による前記アクチュエーター作動時に分配される液体の投与量を調節するために、利用者によって調節自在であって、前記アクチュエーターの調節状態を決定するセンサーを含み、さらに遠隔装置に前記アクチュエーターの調節状態に関する情報をワイヤレスで伝達することを含む、請求項１３に記載の装置から分配される液体を分配および監視する方法。
【請求項１６】
前記柔軟で折りたたみ可能な液体容器が液体に関する製品情報を含むコンピュータの読取可能な識別コードを含み、さらに液体に関する情報を前記遠隔装置に表示させるためのワイヤレス送信および前記コンピュータの読取可能な識別コードを含む、請求項１３に記載の装置から分配される液体を分配および監視する方法。

【国際調査報告】
2021533047.tif 000019